(57)【要約】【課題】耐ノイズ特性を向上させるとともに、高い耐衝撃性を確保する。【解決手段】ヘッドコアアッセンブリ２の駆動コイル部が、長方形リング状を呈するシールドリング３に形成されたコイル挿入孔７に挿入、固着されてなり、上記シールドリング３が、少なくともいずれか一方の長辺側のコイル挿入孔７を囲うリング状の部分が幅広に形成される。そして、この幅広なリング状の部分の底面側の両端には、切欠き８ａ、８ｂが形成される。【効果】少なくとも一方の長辺側のリング状の部分を幅広に形成することで、シールドリングの体積を増加させ、該幅広に形成したリング状の部分の底面側に切欠きを形成することで、ジンバルで磁気ヘッドを支持した場合における磁気ヘッドとジンバルとの接触部分を少なくしてジンバルの良好な可動性を確保している。【選択図】  図１
2004178688.tif 000002
【特許請求の範囲】
【請求項１】
ヘッドコアアッセンブリの駆動コイル部を、長方形リング状を呈するシールドリングに形成されたコイル挿入孔に挿入、固着してなる磁気ヘッドにおいて、
上記シールドリングは、少なくともいずれか一方の長辺側の上記コイル挿入孔を囲うリング状の部分が幅広に形成されるとともに、この幅広なリング状の部分の底面側の両端に切欠きが形成されることを特徴とする磁気ヘッド。
【請求項２】
上記幅広なリング状の部分には、底面側に突き出る膨出部が形成されていることを特徴とする請求項１記載の磁気ヘッド。
【請求項３】
上記切欠きは、底面からの高さが０．２ｍｍ以上、０．７ｍｍ以下であることを特徴とする請求項１記載の磁気ヘッド。
【請求項４】
フレキシブル磁気ディスク駆動装置用の磁気ヘッドであることを特徴とする請求項１記載の磁気ヘッド。
【発明の詳細な説明】
【０００１】
【発明の属する技術分野】
本発明は、磁気ディスクに対して情報信号の記録、再生を行う磁気ディスク用の磁気ヘッドに関し、特にシールドリング形状の改善に関する。
【０００２】
【従来の技術】
フレキシブル磁気ディスクのような磁気ディスクに対して情報信号の記録、再生を行うディスクドライブ装置の磁気ヘッドは、ヘッドコア、該ヘッドコアを狭持するスライダ、及びヘッドコアの脚部に巻回された記録／再生用コイルと消去用コイルと（駆動コイル部）からなるヘッドコアアッセンブリに、駆動コイル部を外部の磁気的なノイズから保護するシールドリングが取り付けられている。図５は、このようなシールドリング５１を示す斜視図である。シールドリング５１は、同図に示すように、上述した駆動コイル部が挿入されるコイル挿入孔５２が形成された長方形リング状を呈してなり、例えば各寸法が、幅ｗ２が３．７５ｍｍ、長さｌ２が６．４ｍｍ、総厚ｔ２−１が１．５５ｍｍとなるよう形成されている。また、シールドリング５１は、長辺方向の両端部に切欠き５３が形成されており、該切欠き５３が形成された部分の厚さｔ２−２が０．７ｍｍ、したがって切欠き５３の高さが０．８５ｍｍとされている。そして、コイル挿入孔５２にヘッドコアアッセンブリの駆動コイル部が挿入された状態でヘッドコアアッセンブリが固着される。
【０００３】
従来の磁気ヘッドは、上述したようなシールドリング５１によりヘッドコアアッセンブリの周囲が磁気的にシールドされているが、近年のディスクドライブ装置の小型化等に伴って、モータ電源等のノイズの影響を受けやすくなってしまい、耐ノイズ特性が低下していた。そこで、図６に示すように、コイル挿入孔を囲うリング部分の体積を増加、本図にあっては一方長辺側を幅広に形成することで、耐ノイズ特性の向上を図ったシールドリング６１が提案されている。このシールドリング６１は、上記シールドリング５１と同様にコイル挿入孔６２が形成されており、このコイル挿入孔６２にヘッドコアアッセンブリの駆動コイル部が挿入された状態でヘッドコアアッセンブリが固着される。なお、このシールドリング６１は、幅ｗ３が４．９ｍｍとされている以外は上記シールドリング５１と同様の寸法で形成されている。
【０００４】
【発明が解決しようとする課題】
ところで、磁気ヘッドは、完全には平坦でない磁気ディスクの記録面にスライダにて構成される平坦な摺動面を追従させるため、図７に示すように、ジンバル７１によって支持される。しかしながら、上述したシールドリング６１においては、体積増加のために、幅広に形成した長辺側の切欠きを無くしている。このため、該シールドリング６１の底面とジンバル７１との接触部分が増えて、ジンバル７１を押さえつけてしまい、ジンバル７１の可動性を低下させている。そして、磁気ヘッドにおいてシールドリング６１を使用した場合には、このようなジンバル７１の可動性の低下によって、耐衝撃性も低下してしまうという問題が発生している。
【０００５】
そこで、本発明は、耐ノイズ特性を向上させるとともに、耐衝撃性をも維持し得る磁気ヘッドを提供することを目的とする。
【０００６】
【課題を解決するための手段】
上述した目的を達成する本発明に係る磁気ヘッドは、ヘッドコアアッセンブリの駆動コイル部を、長方形リング状を呈するシールドリングに形成されたコイル挿入孔に挿入、固着してなり、上記シールドリングが、少なくともいずれか一方の長辺側の上記コイル挿入孔を囲うリング状の部分が幅広に形成されるとともに、この幅広なリング状の部分の底面側の両端に切欠きが形成されることを特徴とする。
【０００７】
上述した構成を有する本発明に係る磁気ヘッドでは、少なくとも一方の長辺側のリング状の部分を幅広に形成することで、体積を増加させている。また、本発明に係る磁気ヘッドでは、該磁気ヘッドをジンバルによって支持させた際に、シールドリングに形成された切欠きによって、ジンバルとの接触部分が少なくなり、ジンバルの良好な可動性が確保される。したがって、本発明によれば、シールドリングの体積増加により耐ノイズ特性が向上するとともに、上記切欠きにより高い耐衝撃性が確保される。
【０００８】
【発明の実施の形態】
以下、本発明に係る磁気ヘッドの具体的な実施の形態について図面を参照しながら詳細に説明する。
【０００９】
磁気ヘッド１は、図１に示すように、ヘッドコアアッセンブリ２にシールドリング３が取り付けられてなる。この磁気ヘッド１は、平面形状が長方形をなしており、磁気ディスクへの情報信号の記録／再生、或いは消去の際に、長方形の長辺が磁気ディスクの回転方向に沿った状態で配され、磁気ディスクの記録面上を摺動する。
【００１０】
ヘッドコアアッセンブリ２は、ヘッドコア４と、このヘッドコア４を狭持する第１及び第２のスライダ５、６と、ヘッドコア４の脚部に取り付けられる駆動コイル部（図示は省略する）とにより構成されている。ヘッドコア４は、その表面に記録／再生用のギャップと消去用のギャップが形成されている。第１及び第２のスライダは、例えばセラミック等からなり、ヘッドコア４を狭持して固定するとともに、磁気ディスクとの摺動面となる。駆動コイル部は、コイルボビンに巻回された記録／再生用コイルと、同様にコイルボビンに巻回された消去用コイルとからなる。
【００１１】
シールドリング３は、フェライトやパーマロイ等により形成されており、上述したヘッドコアアッセンブリ２を構成する駆動コイル部を、外部の磁気的なノイズから保護するものである。シールドリング３は、図２に示すように、駆動コイル部が挿入されるコイル挿入孔７が形成された長方形リング状を呈してなり、このコイル挿入孔７を囲うリング部分の一部、具体的には一方の長辺側のリング部分が上記従来形状のシールドリング５１（図５にて図示）よりも幅広に形成されている。これは、上記従来形状のシールドリング５１におけるリング部分の一方長辺側を幅広にしてシールド部材の体積を増加させたものである。したがって、幅ｗ１を上記シールドリング５１の幅ｗ２よりも広く、例えば４．３５ｍｍとした以外、長さｌ１、総厚ｔ１−１は、それぞれ上記シールドリング５１におけるｌ２、ｔ２−１と同じ寸法で形成されている。
【００１２】
また、シールドリング３は、幅広に形成された長辺側のリング部分に、２箇所の切欠き８ａ、８ｂが設けられている。この切欠き８ａ、８ｂは、上記幅広なリング部分の底面側の両端に設けられており、これら切欠き８ａ、８ｂが形成されたシールド部材部分の厚さｔ１−２は１．０５ｍｍ、したがって切欠き８ａ、８ｂの高さｈは０．５ｍｍとされている。この切欠き８ａ、８ｂは幅広に形成されていない長辺側の切欠きに比して浅く、このため幅広に形成された長辺側のリング部分には、これら切欠きの高さ差異である膨出部９が、シールドリング３の底面側に突き出て形成されている。
【００１３】
上述したシールドリング３にヘッドコアアッセンブリ２を取り付けた磁気ヘッド１では、図３に示すように該磁気ヘッド１をジンバル２１によって支持させた際に、シールドリング３において、体積を増加させるために設けた幅広のリング部分の底面側に切欠き８ａ、８ｂを設けたことによって、ジンバル２１との接触部分が少なくなる。したがって、シールドリング３がジンバル２１を押さえつけ過ぎてしまうようなことがなく、ジンバル２１の可動性が害されることがない。このため、磁気ヘッド１において高い耐衝撃性が確保される。また、磁気ヘッド１においては、一方の長辺部３ａが幅広に形成されており、上記従来形状のシールドリング５１に比して体積が増加しているため、上述した高い耐衝撃性とともに、耐ノイズ特性の向上が図られている。このように、磁気ヘッド１では、耐ノイズ特性を向上させながら、高い耐衝撃性を確保することができるようになる。
【００１４】
なお、このように耐ノイズ特性を向上させながら、高い耐衝撃性を確保することができるのは、上記実施の形態にて示したように切欠き８ａ、８ｂの高さｈを０．５ｍｍとした場合に限られず、０．２ｍｍ乃至０．７ｍｍの高さで切欠き８ａ、８ｂを形成した場合に上述した効果を得ることができる。
【００１５】
また、本発明に係る磁気ヘッドは、上述した実施の形態にて示した形状、具体的には一方の長辺側のみを幅広とした場合に限定されるものではなく、図４（ａ）及び（ｂ）に示すシールドリング３１の如く、コイル挿入孔３２を囲うリング部分の、両方の長辺側を幅広に形成してシールド部材の体積を増加させるよう構成したものであってもよい。このシールドリング３１にあっては、幅広にした長辺側の両側部、すなわち四隅部に切欠き３３がそれぞれ形成される。このように形成した場合であっても、シールド部材の体積が増加し、且つジンバルとの接触部分を小さく抑えることができるため、耐ノイズ特性を向上させながら、高い耐衝撃性を確保することができるようになる。
【００１６】
【発明の効果】
以上、詳細に説明したように本発明に係る磁気ヘッドは、少なくとも一方の長辺側のリング状の部分を幅広に形成することで、シールドリングの体積を増加させており、また、該幅広に形成したリング状の部分の底面側に切欠きを形成することで、ジンバルで磁気ヘッドを支持した場合における磁気ヘッドとジンバルとの接触部分を少なくしてジンバルの良好な可動性を確保している。したがって、本発明によれば、シールドリングの体積増加による耐ノイズ特性の向上を図るとともに、高い耐衝撃性を確保することができる。
【図面の簡単な説明】
【図１】本発明に係る磁気ヘッドの斜視図である。
【図２】同磁気ヘッドのシールドリングの斜視図である。
【図３】同磁気ヘッドがジンバルにて支持されている状態を模式的に示す図である。
【図４】他の構成を有する本発明に係る磁気ヘッドを示す図であり、（ａ）は斜視図、（ｂ）は正面図である。
【図５】従来の磁気ヘッドの斜視図である。
【図６】従来の他の磁気ヘッドの斜視図である。
【図７】同磁気ヘッドがジンバルにて支持されている状態を模式的に示す図である。
【符号の説明】
１          磁気ヘッド
２          ヘッドコアアッセンブリ
３          シールドリング
４          ヘッドコア
５          第１のスライダ
６          第２のスライダ
７          コイル挿入孔
８ａ、８ｂ  切欠き
９          膨出部
２１        ジンバル
【図１】
2004178688.tif 000003
【図２】
2004178688.tif 000004
【図３】
2004178688.tif 000005
【図４】
2004178688.tif 000006
【図５】
2004178688.tif 000007
【図６】
2004178688.tif 000008
【図７】
2004178688.tif 000009